【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
宛先デバイスを介してソースデバイスのネイティブメディアをミラーリングするための方法であって、前記方法が、
前記ソースデバイスの前記ネイティブメディアの第１のメディア要素を受信することと、
前記宛先デバイスに関連する出力インターフェースを介して前記第１のメディア要素を備える前記ネイティブメディアを前記宛先デバイスにミラーリングさせることと、
前記ソースデバイスの前記ネイティブメディアの第２のメディア要素を受信することと、
前記第２のメディア要素に関連する少なくとも１つのパラメータに基づいて、前記第２のメディア要素を含む前記ネイティブメディアを前記宛先デバイスにミラーリングさせるべきかどうかを判断することと、
前記第２のメディア要素を前記宛先デバイスにミラーリングさせないと判断したことに応答して、前記第２のメディア要素に対応する前記ネイティブメディアの領域を識別することと、
前記識別された領域において、画像データの前のフレームの画像データを前記宛先デバイスに表示させることと、
を備え、
ビデオデータの前記前のフレームの前記画像データを前記宛先デバイスに表示させることは、前記宛先デバイスが前記第２のメディア要素を表示するのを防ぐ、方法。
【請求項２】
前記少なくとも１つパラメータは、ユーザ入力に基づく、
請求項１に記載の方法。
【請求項３】
前記少なくとも１つパラメータは、メモリに記憶された前に受信されたユーザ入力に基づく、
請求項２に記載の方法。
【請求項４】
前記少なくとも１つのパラメータは、前記第２のメディア要素を受信したことに応答して受信された動的に判断されたユーザ入力に基づく、
請求項２に記載の方法。
【請求項５】
少なくとも１つのソフトウェアアプリケーションから前記第２のメディア要素を受信したことに応答して、ユーザが前記第２のメディア要素をミラーリングするように前記宛先デバイスを制御すべきかどうかを示すことを可能にするユーザインターフェースを前記ユーザに与えることをさらに備える、
請求項４に記載の方法。
【請求項６】
前記少なくとも１つのパラメータに基づいて前記第２のメディア要素をミラーリングすべきかどうかが判断されるまで、前記宛先デバイスに前記第２のメディア要素をミラーリングさせないことをさらに備える、
請求項１に記載の方法。
【請求項７】
前記宛先デバイスに前記第２のメディア要素をミラーリングさせない間、前記宛先デバイスに前記第１のメディア要素を含む他のネイティブメディアをミラーリングさせることをさらに備える、
請求項６に記載の方法。
【請求項８】
前記宛先デバイスに前記第２のメディア要素をミラーリングさせない間、前記宛先デバイスに前記第１のメディア要素を含む他のネイティブメディアをミラーリングさせることは、
メモリに記憶された少なくともいくつかの前に出力されたメディアを読み取ることを含む、前記宛先デバイスに前記第１のメディア要素をミラーリングさせることを備える、請求項７に記載の方法。
【請求項９】
前記宛先デバイスに前記第２のメディア要素をミラーリングさせない間、前記宛先デバイスに前記第１のメディア要素を含む他のネイティブメディアをミラーリングさせることは、
前記第１のメディア要素を含み、前記第２のメディア要素を含まない前記メディアを前記宛先デバイスに送ることを備える、
請求項７に記載の方法。
【請求項１０】
前記メディアは、ビデオメディアを備え、
前記宛先デバイスに前記第２のメディア要素をミラーリングさせない間、前記宛先デバイスに前記第１のメディア要素を含む他のネイティブメディアをミラーリングさせることは、
前記宛先デバイスによってミラーリングされるべきミラーリングされたメディアを生成するために前記ネイティブメディアを符号化することと
を備え、前記ネイティブメディアを符号化することは、
前記識別された領域の外側のビデオデータの複数のブロックに複数の予測モードのうちの１つを割り当てることと、
前記メディアの前記識別された領域内の前記複数のブロックの各々にスキップ予測モードを割り当てることと、
ビデオデータのフレームが前記宛先デバイスを介して出力されるとき、前記識別された少なくとも１つの領域を前記フレーム中で視覚的にフリーズさせるために、前記フレームを宛先デバイスに出力することと
を備える、請求項９に記載の方法。
【請求項１１】
前記識別された領域の外側のビデオデータの複数のブロックに複数の予測モードのうちの１つを割り当てることは、
分割モードと、
前記スキップモードと、
直接モードと、
イントラモードと、
インターモードと
からなるグループから選択された１つまたは複数の予測モードを割り当てることを備える、
請求項１０に記載の方法。
【請求項１２】
前記第１のメディア要素を受信することと、前記第２のメディア要素を受信することとは、少なくとも１つのコンピューティングデバイス上で実行している１つまたは複数のソフトウェアアプリケーションから前記第１および第２のメディア要素を受信することを備える、
請求項１に記載の方法。
【請求項１３】
前記少なくとも１つのソフトウェアアプリケーションは、
ビデオ再生アプリケーションと、
写真閲覧アプリケーションと、
オーディオ再生アプリケーションと、
電話アプリケーションと、
テキストメッセージングアプリケーションと、
電子メール（ｅメール）アプリケーションと、
ゲームアプリケーションと
からなるグループから選択された１つまたは複数のソフトウェアアプリケーションを備える、
請求項１２に記載の方法。
【請求項１４】
宛先デバイスを介してソースデバイスのネイティブメディアをミラーリングするように構成されたソースデバイスであって、
前記ソースデバイスの前記ネイティブメディアの第１のメディア要素を受信することと、
前記宛先デバイスに関連する出力インターフェースを介して前記第１のメディア要素を備える前記ネイティブメディアを前記宛先デバイスにミラーリングさせることと、
前記ネイティブメディアの第２のメディア要素を受信することと、
前記第２のメディア要素に関連する少なくとも１つのパラメータに基づいて、前記第２のメディア要素を含む前記ネイティブメディアを前記宛先デバイスにミラーリングさせるべきかどうかを判断することと、
前記第２のメディア要素を前記宛先デバイスにミラーリングさせないと判断したことに応答して、前記第２のメディア要素に対応する前記ネイティブメディアの領域を識別することと、
前記識別された領域において、画像データの前のフレームの画像データを前記宛先デバイスに表示させることと、
を行うように構成されるミラーリングモジュールを備え、前記ソースデバイスは、前記宛先デバイスが前記第２のメディア要素を表示するのを防ぐために、ビデオデータの前記前のフレームの前記画像データを前記宛先デバイスに表示させて、ソースデバイス。
【請求項１５】
前記少なくとも１つパラメータは、ユーザ入力に基づく、
請求項１４に記載のデバイス。
【請求項１６】
前記少なくとも１つパラメータは、メモリに記憶された前に受信されたユーザ入力に基づく、
請求項１５に記載のデバイス。
【請求項１７】
前記少なくとも１つのパラメータは、前記第２のメディア要素を受信したことに応答して受信された動的に判断されたユーザ入力に基づく、
請求項１５に記載のデバイス。
【請求項１８】
前記ミラーリングモジュールは、
少なくとも１つのソフトウェアアプリケーションから前記第２のメディア要素を受信したことに応答して、ユーザが前記第２のメディア要素をミラーリングするように前記宛先デバイスを制御すべきかどうかを示すことを可能にするユーザインターフェースを前記ユーザに与えるようにさらに構成される、
請求項１７に記載のデバイス。
【請求項１９】
前記ミラーリングモジュールは、
前記少なくとも１つのパラメータに基づいて前記第２のメディア要素をミラーリングすべきかどうかが判断されるまで、前記宛先デバイスに前記第２のメディア要素をミラーリングさせないようにさらに構成される、
請求項１４に記載のデバイス。
【請求項２０】
前記ミラーリングモジュールは、
前記宛先デバイスに前記第２のメディア要素をミラーリングさせない間、前記宛先デバイスに前記第１のメディア要素を含む他のネイティブメディアをミラーリングさせるようにさらに構成される、
請求項１９に記載のデバイス。
【請求項２１】
前記ミラーリングモジュールは、
メモリに記憶された少なくともいくつかの前に出力されたメディアを読み取ることに基づいて、前記宛先デバイスに前記第１のメディア要素をミラーリングさせるようにさらに構成される、
請求項２０に記載のデバイス。
【請求項２２】
前記ミラーリングモジュールは、
前記第１のメディア要素を含み、前記第２のメディア要素を含まない前記メディアを前記宛先デバイスに送るようにさらに構成される、
請求項１９に記載のデバイス。
【請求項２３】
前記メディアは、ビデオメディアを備え、前記ミラーリングモジュールは、
前記宛先デバイスによってミラーリングされるべきミラーリングされたメディアを生成するために前記ネイティブメディアを符号化すること
を行うようにさらに構成され、前記符号化することは、
前記識別された領域の外側のビデオデータの複数のブロックに複数の予測モードのうちの１つを割り当てることと、
前記メディアの前記識別された領域内の前記複数のブロックの各々にスキップ予測モードを割り当てることと
ビデオデータのフレームが前記宛先デバイスを介して出力されるとき、前記識別された少なくとも１つの領域を前記フレーム中で視覚的にフリーズさせるために、前記フレームを宛先デバイスに出力することと
を含む、請求項２２に記載のデバイス。
【請求項２４】
前記ミラーリングモジュールは、
前記識別された領域の外側のビデオデータの複数のブロックの各々に、
分割モードと、
前記スキップモードと、
直接モードと、
イントラモードと、
インターモードと
からなるグループから選択された複数の予測モードのうちの１つを割り当てることを行うようにさらに構成される、
請求項２３に記載のデバイス。
【請求項２５】
前記第１のメディア要素を受信することと、前記第２のメディア要素を受信することとは、少なくとも１つのコンピューティングデバイス上で実行している１つまたは複数のソフトウェアアプリケーションから前記第１および第２のメディア要素を受信することを備え、前記少なくとも１つのソフトウェアアプリケーションは、
ビデオ再生アプリケーションと、
写真閲覧アプリケーションと、
オーディオ再生アプリケーションと、
電話アプリケーションと、
テキストメッセージングアプリケーションと、
電子メール（ｅメール）アプリケーションと、
ゲームアプリケーションと
からなるグループから選択された１つまたは複数のソフトウェアアプリケーションを備える、
請求項１４に記載のデバイス。
【請求項２６】
コンピューティングデバイスに、
ソースデバイスのネイティブメディアの第１のメディア要素を受信することと、
宛先デバイスに関連する出力インターフェースを介して前記第１のメディア要素を備える前記ネイティブメディアを前記宛先デバイスにミラーリングさせることと、
前記ネイティブメディアの第２のメディア要素を受信することと、
前記第２のメディア要素に関連する少なくとも１つのパラメータに基づいて、前記第２のメディア要素を含む前記ネイティブメディアを前記宛先デバイスにミラーリングさせるべきかどうかを判断することと、
前記第２のメディア要素を前記宛先デバイスにミラーリングさせないと判断したことに応答して、前記第２のメディア要素に対応する前記ネイティブメディアの領域を識別することと、
前記識別された領域において、画像データの前のフレームの画像データを前記宛先デバイスに表示させることと、
を行わせるように構成された命令を記憶し、ビデオデータの前記前のフレームの前記画像データを前記宛先デバイスに表示させる前記コンピューティングデバイスは、前記宛先デバイスが前記第２のメディア要素を表示するのを防ぐ、非一時的なコンピュータ可読記憶媒体。
【請求項２７】
前記少なくとも１つのパラメータは、ユーザ入力に基づく、
請求項２６に記載の非一時的なコンピュータ可読記憶媒体。
【請求項２８】
前記少なくとも１つパラメータは、メモリに記憶された前に受信されたユーザ入力に基づく、
請求項２７に記載の非一時的なコンピュータ可読記憶媒体。
【請求項２９】
前記少なくとも１つのパラメータは、前記第２のメディア要素を受信したことに応答して受信された動的に判断されたユーザ入力に基づく、
請求項２７に記載の非一時的なコンピュータ可読記憶媒体。
【請求項３０】
前記命令は、前記コンピューティングデバイスに、
少なくとも１つのソフトウェアアプリケーションから前記第２のメディア要素を受信したことに応答して、ユーザが前記第２のメディア要素をミラーリングするように前記宛先デバイスを制御すべきかどうかを示すことを可能にするユーザインターフェースを前記ユーザに与えることをさらに行わせる、
請求項２９に記載の非一時的なコンピュータ可読記憶媒体。
【請求項３１】
前記命令は、前記コンピューティングデバイスに、
前記少なくとも１つのパラメータに基づいて前記第２のメディア要素をミラーリングすべきかどうかが判断されるまで、前記宛先デバイスに前記第２のメディア要素をミラーリングさせないことをさらに行わせる、
請求項２６に記載の非一時的なコンピュータ可読記憶媒体。
【請求項３２】
前記命令は、前記コンピューティングデバイスに、
前記宛先デバイスに前記第２のメディア要素をミラーリングさせない間、前記宛先デバイスに前記第１のメディア要素を含む他のネイティブメディアをミラーリングさせることをさらに行わせる、
請求項３１に記載の非一時的なコンピュータ可読記憶媒体。
【請求項３３】
前記命令は、前記コンピューティングデバイスに、
メモリに記憶された少なくともいくつかの前に出力されたメディアを読み取ることに基づいて、前記宛先デバイスに前記第１のメディア要素をミラーリングさせることをさらに行わせる、
請求項３２に記載の非一時的なコンピュータ可読記憶媒体。
【請求項３４】
前記命令は、前記コンピューティングデバイスに、
前記第１のメディア要素を含み、前記第２のメディア要素を含まない前記メディアを前記宛先デバイスに送ることをさらに行わせる、
請求項３２に記載の非一時的なコンピュータ可読記憶媒体。
【請求項３５】
前記命令は、前記コンピューティングデバイスに、
前記宛先デバイスによってミラーリングされるべきミラーリングされたメディアを生成するために前記ネイティブメディアを符号化すること
をさらに行わせ、前記符号化することは、
前記識別された領域の外側のビデオデータの複数のブロックに複数の予測モードのうちの１つを割り当てることと、
前記メディアの前記識別された領域内の前記複数のブロックの各々にスキップ予測モードを割り当てることと
ビデオデータのフレームが前記宛先デバイスを介して出力されるとき、前記識別された少なくとも１つの領域を前記フレーム中で視覚的にフリーズさせるために、前記フレームを宛先デバイスに出力することと
を含む、請求項３４に記載の非一時的なコンピュータ可読記憶媒体。
【請求項３６】
前記命令は、前記コンピューティングデバイスに、
分割モードと、
前記スキップモードと、
直接モードと、
イントラモードと、
インターモードと
からなるグループから選択された前記複数の予測モードのうちの前記１つを割り当てることをさらに行わせる、
請求項３５に記載の非一時的なコンピュータ可読記憶媒体。
【請求項３７】
前記命令は、前記コンピューティングデバイスに、少なくとも１つのコンピューティングデバイス上で実行している１つまたは複数のソフトウェアアプリケーションから前記第１のメディア要素と前記第２のメディア要素とを受信させることをさらに行わせ、前記少なくとも１つのソフトウェアアプリケーションは、
ビデオ再生アプリケーションと、
写真閲覧アプリケーションと、
オーディオ再生アプリケーションと、
電話アプリケーションと、
テキストメッセージングアプリケーションと、
電子メール（ｅメール）アプリケーションと、
ゲームアプリケーションと
からなるグループから選択された１つまたは複数のソフトウェアアプリケーションを備える、
請求項２６に記載の非一時的なコンピュータ可読記憶媒体。
【請求項３８】
宛先デバイスを介してソースデバイスのネイティブメディアをミラーリングするように構成されたソースデバイスであって、
前記ソースデバイスの前記ネイティブメディアの第１のメディア要素を受信するための手段と、
宛先デバイスに関連する出力インターフェースを介して前記第１のメディア要素を備える前記ネイティブメディアを前記宛先デバイスにミラーリングさせるための手段と、
前記ネイティブメディアの第２のメディア要素を受信するための手段と、
前記第２のメディア要素に関連する少なくとも１つのパラメータに基づいて、前記第２のメディア要素を含む前記ネイティブメディアを前記宛先デバイスにミラーリングさせるべきかどうかを判断するための手段と、
前記第２のメディア要素を前記宛先デバイスにミラーリングさせないと判断したことに応答して、前記第２のメディア要素に対応する前記ネイティブメディアの領域を識別するための手段と、
前記識別された領域において、画像データの前のフレームの画像データを前記宛先デバイスに表示させるための手段と、
を備え、ビデオデータの前記前のフレームの前記画像データを前記宛先デバイスに表示させるための前記手段は、前記宛先デバイスが前記第２のメディア要素を表示するのを防ぐ、ソースデバイス。
【請求項３９】
ユーザ入力に基づいて前記少なくとも１つパラメータを判断するための手段をさらに備える、
請求項３８に記載のデバイス。
【請求項４０】
メモリに記憶された前に受信されたユーザ入力に基づいて前記少なくとも１つのパラメータを判断するための手段をさらに備える、
請求項３９に記載のデバイス。
【請求項４１】
前記第２のメディア要素を受信したことに応答して受信されたユーザ入力を動的に判断するための手段をさらに備える、
請求項３９に記載のデバイス。
【請求項４２】
少なくとも１つのソフトウェアアプリケーションから前記第２のメディア要素を受信したことに応答して、ユーザが前記第２のメディア要素をミラーリングするように前記宛先デバイスを制御すべきかどうかを示すことを可能にするユーザインターフェースを前記ユーザに与えるための手段をさらに備える、
請求項４１に記載のデバイス。
【請求項４３】
前記少なくとも１つのパラメータに基づいて前記第２のメディア要素をミラーリングすべきかどうかが判断されるまで、前記宛先デバイスに前記第２のメディア要素をミラーリングさせないための手段をさらに備える、
請求項４１に記載のデバイス。
【請求項４４】
ビデオデータのフレームを符号化する方法であって、前記方法は、
メディア要素に関連する少なくとも１つのパラメータに基づいて、前記メディア要素を宛先デバイスにミラーリングさせるべきかどうかを判断することと、
前記メディア要素に対応するビデオデータのフレームの少なくとも１つの領域を識別することと、
前記識別された少なくとも１つの領域の外側に存在する前記ビデオフレーム中のビデオデータの複数のブロックの各ブロックに、複数の予測モードのうちの１つを割り当てることと、
前記メディア要素を前記宛先デバイスにミラーリングさせないと判断したことに応答して、前記識別された少なくとも１つの領域内の前記複数のブロックの各々にスキップ予測モードを割り当てることと、
ビデオデータの前記フレームが前記宛先デバイスを介して出力されるとき、前記識別された少なくとも１つの領域を前記フレーム中で視覚的にフリーズさせるために、前記フレームを前記宛先デバイスに出力することと
を備える、方法。
【請求項４５】
前記識別された領域の外側のビデオデータの複数のブロックに複数の予測モードのうちの１つを割り当てることは、
分割モードと、
前記スキップモードと、
直接モードと、
イントラモードと、
インターモードと
からなるグループから選択された１つまたは複数の予測モードを割り当てる、請求項４４に記載の方法。
【請求項４６】
ビデオデータの前記フレームの前記少なくとも１つの領域を識別することは、前記メディア要素が、前記ソースデバイスに対してネイティブな他のメディアとともに前記宛先デバイスを介してミラーリングされるのを防ぐために、前記少なくとも１つの領域を識別することを備える、
請求項４４に記載の方法。
【請求項４７】
それぞれのブロックと、前記それぞれのブロックを再構成するためにデコーダによって使用され得る予測ブロックとの間に差があるかどうかにかかわらず、前記ブロックの各々に前記スキップ予測モードを割り当てることを備える、前記少なくとも１つの領域内の前記複数のブロックの各々にスキップ予測モードを割り当てることをさらに備える、請求項４４に記載の方法。
【請求項４８】
ビデオデータのフレームを符号化するように構成されたデバイスであって、
メディア要素に関連する少なくとも１つのパラメータに基づいて、前記メディア要素を宛先デバイスにミラーリングさせるべきかどうかを判断することと、
前記メディア要素に対応するビデオデータのフレームの少なくとも１つの領域を識別することと
を行うように構成されたミラーリングモジュールと、
前記識別された少なくとも１つの領域の外側のビデオデータの複数のブロックの各ブロックに複数の予測モードのうちの１つを割り当てることと、
前記メディア要素を前記宛先デバイスにミラーリングさせないと判断したことに応答して、前記識別された少なくとも１つの領域内の前記複数のブロックの各々にスキップ予測モードを割り当てることと、
ビデオデータの前記フレームが前記宛先デバイスを介して出力されるとき、前記識別された少なくとも１つの領域を前記フレーム中で視覚的にフリーズさせるために、前記フレームを前記宛先デバイスに出力することと
を行うように構成されたビデオエンコーダと
を備える、デバイス。
【請求項４９】
前記ビデオエンコーダは、前記識別された領域の外側のビデオデータの複数のブロックに、
分割モードと、
前記スキップモードと、
直接モードと、
イントラモードと、
インターモードと
からなるグループから選択された複数の予測モードのうちの１つを割り当てるように構成された、
請求項４８に記載のデバイス。
【請求項５０】
前記ミラーリングモジュールは、メディア要素が、前記ソースデバイスに対してネイティブな他のメディアとともに前記宛先デバイスを介してミラーリングされるのを防ぐために、前記少なくとも１つの領域を識別することに基づいて、ビデオデータの前記フレームの前記少なくとも１つの領域を識別するようにさらに構成される、
請求項４８に記載のデバイス。
【請求項５１】
前記ビデオエンコーダは、
それぞれのブロックと、前記それぞれのブロックを再構成するためにデコーダによって使用され得る予測ブロックとの間に差があるかどうかにかかわらず、前記ブロックの各々に前記スキップ予測モードを割り当てることを備える、前記少なくとも１つの領域内の前記複数のブロックの各々にスキップ予測モードを割り当てることを行うようにさらに構成される、
請求項４８に記載のデバイス。
【請求項５２】
コンピューティングデバイスに、
メディア要素に関連する少なくとも１つのパラメータに基づいて、前記メディア要素を宛先デバイスにミラーリングさせるべきかどうかを判断することと、
前記メディア要素に対応するビデオデータのフレームの少なくとも１つの領域を識別することと、
前記識別された少なくとも１つの領域の外側のビデオデータの複数のブロックの各ブロックに複数の予測モードのうちの１つを割り当てることと、
前記メディア要素を前記宛先デバイスにミラーリングさせないと判断したことに応答して、前記識別された少なくとも１つの領域内の前記複数のブロックの各々にスキップ予測モードを割り当てることと、
ビデオデータの前記フレームが前記宛先デバイスを介して出力されるとき、前記識別された少なくとも１つの領域を前記フレーム中で視覚的にフリーズさせるために、前記フレームを前記宛先デバイスに出力することと
を行わせるように構成された命令を記憶する非一時的なコンピュータ可読記憶媒体。
【請求項５３】
前記命令は、前記コンピューティングデバイスに、
前記識別された領域の外側のビデオデータの前記複数のブロックの各々に、
分割モードと、
前記スキップモードと、
直接モードと、
イントラモードと、
インターモードと
からなるグループから選択された複数の予測モードのうちの１つを割り当てることをさらに行わせる、
請求項５２に記載の非一時的なコンピュータ可読記憶媒体。
【請求項５４】
前記命令は、前記コンピューティングデバイスに、
前記メディア要素が、前記ソースデバイスに対してネイティブな他のメディアとともに前記宛先デバイスを介してミラーリングされるのを防ぐために、ビデオデータの前記フレームの前記少なくとも１つの領域を識別することをさらに行わせる、
請求項５２に記載の非一時的なコンピュータ可読記憶媒体。
【請求項５５】
前記命令は、前記コンピューティングデバイスに、
それぞれのブロックと、前記それぞれのブロックを再構成するためにデコーダによって使用され得る予測ブロックとの間に差があるかどうかにかかわらず、前記識別された少なくとも１つの領域内の前記ブロックの各々に前記スキップ予測モードを割り当てることをさらに行わせる、
請求項５２に記載の非一時的なコンピュータ可読記憶媒体。
【請求項５６】
ビデオデータのフレームを符号化するように構成されたデバイスであって、
メディア要素に関連する少なくとも１つのパラメータに基づいて、前記メディア要素を宛先デバイスにミラーリングさせるべきかどうかを判断するための手段と、
前記メディア要素に対応するビデオデータのフレームの少なくとも１つの領域を識別するための手段と、
前記識別された少なくとも１つの領域の外側のビデオデータの複数のブロックの各ブロックに複数の予測モードのうちの１つを割り当てるための手段と、
前記メディア要素を前記宛先デバイスにミラーリングさせないと判断したことに応答して、前記識別された少なくとも１つの領域内の前記複数のブロックの各々にスキップ予測モードを割り当てるための手段と、
ビデオデータの前記フレームが前記宛先デバイスを介して出力されるとき、前記識別された少なくとも１つの領域を前記フレーム中で視覚的にフリーズさせるために、前記フレームを前記宛先デバイスに出力するための手段と
を備える、デバイス。